(57)【要約】【課題】  履物を挟持するための挟持具を備えた靴ベラにおいて、挟持具および靴ベラの各機能を使用する際に、一方の機能の存在が他方の機能の使用を使用する際の妨げとなることのない挟持具付き靴ベラを提供すること。【解決手段】  ハンドル６を矢印イの方向へ回動させると、挟持部材４が時計回りの方向へ回動して挟持部材５と当接し、履物などを挟持することができる。また、靴ベラ２を矢印アの方向へ回動させると、挟持部材５が反時計回りの方向へ回動して挟持部材４と当接し、挟持部材４，５が閉じた状態となり、靴ベラを使用する際に、誤ってハンドル６を操作してしまったときに、予期せぬものを挟み、靴ベラの使用に支障を来たすことがなくなる。【選択図】  図１
2007143979.tif 000002
【特許請求の範囲】
【請求項１】
棒状の本体部の一方端側に設けられたハンドルの回動操作に応じて、前記本体部の他方端側において開閉する挟持部材により、履物を挟持または解放する挟持具と、前記本体部に取り付けられ、使用の際に履物内へ挿入される先端部および該先端部の反対側の端部である後端部を有する長尺状の靴ベラと、を備えた挟持具付き靴ベラであって、
前記靴ベラの後端部が、前記本体部の一方端側に設けられた回転軸に回動自在に取り付けられ、前記靴ベラが、前記本体部と一直線に展開した位置と、前記本体部と重なるように折りたたんだ位置との間で回動する
ことを特徴とする挟持具付き靴ベラ。
【請求項２】
前記靴ベラを、前記本体部と一直線に展開した位置へ回動させたときに、前記挟持部材を閉じた状態へ変位させる伝達手段を具備することを特徴とする請求項１に記載の挟持具付き靴ベラ。
【発明の詳細な説明】
【技術分野】
【０００１】
本発明は、履物を挟持してその位置若しくは向きを揃える際に用いる挟持具を備えた靴ベラに関する。
【背景技術】
【０００２】
身近な日用品である靴ベラは、玄関などに備えられている棒状の据置型のものから気軽に持ち運びが可能な小型のものなど、実に様々な形態のものがある。また、靴の履きやすさを追求したものや、衣服用ブラシの柄やステッキなどに靴ベラを形成して靴ベラ以外の機能を付加したものもある。例えば、特許文献１には、握柄の一方端に靴ベラを取り付け、他方端に靴の向きを揃える等するための履物捕捉具を備えたものが開示されている。この履物捕捉具は、握柄に設けられた握桿を握ると、握柄の他方端に取り付けられた２つのＬ字状のフックが互いに接近、当接し、履物を挟むことができる。また、握柄を離すとスプリングの付勢力により、挟んだ履物を解放する構造になっている。これにより、履物を履く際に、立ったまま靴の向きを揃えることが可能となる。
【０００３】
【特許文献１】実開平６−２３７
【発明の開示】
【発明が解決しようとする課題】
【０００４】
ところで、特許文献１に開示された靴ベラの場合、靴ベラが握柄の一方端に固定されているため、履物捕捉具を使用する際に靴ベラ部分が使用者の腕などに当たるなどして、履物捕捉具を使いづらくさせていた。また、靴ベラとして使用する場合、２つのフックが開いた状態になっているため、誤って握桿を操作してしまった場合、予期せぬものを挟んでしまうおそれがあり、靴ベラとして使いづらい面があった。
【０００５】
そこで本発明は、履物を挟持するための挟持具を備えた靴ベラにおいて、挟持具および靴ベラの各機能を使用する際に、一方の機能の存在が他方の機能の使用を使用する際の妨げとなることのない挟持具付き靴ベラを提供することを目的としている。
【課題を解決するための手段】
【０００６】
上記の目的を達成するために、本発明は、棒状の本体部の一方端側に設けられたハンドルの回動操作に応じて、前記本体部の他方端側において開閉する挟持部材により、履物を挟持または解放する挟持具と、前記本体部に取り付けられ、使用の際に履物内へ挿入される先端部および該先端部の反対側の端部である後端部を有する長尺状の靴ベラと、を備えた挟持具付き靴ベラであって、前記靴ベラの後端部が、前記本体部の一方端側に設けられた回転軸に回動自在に取り付けられ、前記靴ベラが、前記本体部と一直線に展開した位置と、前記本体部と重なるように折りたたんだ位置との間で回動することを特徴としている。
【０００７】
上記の挟持具付き靴ベラによれば、挟持具として使用する場合は、靴ベラを本体部と重なるように折りたたむことにより、靴ベラが挟持具を取り回す際の邪魔になることがない。
【０００８】
また、本発明は、上記の挟持具付き靴ベラにおいて、前記靴ベラを、前記本体部と一直線に展開した位置へ回動させたときに、前記挟持部材を閉じた状態へ変位させる伝達手段を具備することを特徴としている。
【０００９】
上記の挟持具付き靴ベラによれば、靴ベラとして使用する際に、誤ってハンドルを回動操作してしまい、予期せぬものを挟むなどして靴ベラを使用する際の邪魔になることがない。
【発明の効果】
【００１０】
本発明の挟持具付き靴ベラによれば、履物を挟持するための挟持具を備えた靴ベラにおいて、一方の機能の存在が、他方の機能を使用する際の妨げとなることがない。
【発明を実施するための最良の形態】
【００１１】
以下、本発明の好適な実施の形態について、図面を参照しつつ説明する。図１は、本形態における挟持具付き靴ベラの外観を示す正面図である。この図において、（ａ）は本実施の形態における挟持具付き靴ベラを使用していない状態（以下、未使用状態という）を示す図であり、（ｂ）は靴ベラとして使用するときの状態、（ｃ）は履物の挟持具として使用している状態を示す図である。
【００１２】
図１（ａ）において、挟持具付き靴ベラ１の靴ベラ２は、その使用時に履物内へ挿入される先端部２ａと、その反対側端部である後端部２ｂとを有する長尺状の形状を有しており、後端部２ｂにおいて、棒状の本体部３の一方端側（図１中、左側）に設けられている回転軸２ｃにより回動自在に支持されている。そして、図１（ａ）に示す未使用状態のときには本体部３と重なるようにして折りたたんだ位置にあるが、靴ベラ２を使用する際には、本体部３とほぼ一直線の状態となる位置まで矢印アに示す方向（時計回り）に回動させて展開する（図１（ｂ）参照）。
【００１３】
本体部３の他方端側（図１中、右側）には、履物を挟持するための挟持部が設けられている。この挟持部は挟持部材４，５からなり、各挟持部材４，５の基底部は、本体部３の他方端において各々回転軸４ａおよび５ａにより回動自在に支持されている。また、挟持具付き靴ベラ１の未使用状態において、挟持部材４，５の先端は開いた状態になっているが（図１（ａ）参照）、靴ベラ２の使用時には、靴ベラ２の回動に連動して閉じた状態に変位する（図１（ｂ）参照）。ここで、挟持具付き靴ベラ１の未使用状態において、挟持部材４，５の先端が開いた状態になっているときの、挟持部材４，５の成す角度は６０゜であるものとする。さらに、挟持部材４，５の先端において、互いに対向する面には履物を挟持して持ち上げたとき等に、その状態を維持しやすくするために、鋸歯状の滑り止め部４ｂ，５ｂが形成されている。
【００１４】
本体部３の一方端側には、挟持具付き靴ベラ１を挟持具として使用する際に、挟持部材４，５を開閉操作するためのハンドル６が設けられている。このハンドル６は、回転軸６ａを軸として、図１（ａ）中、矢印イの方向へ回動自在に支持されている。そして、ハンドル６を握るなどして矢印イの方向へ回動させると、その動きに応じて挟持部材４，５の先端が閉じ（図１（ｃ）参照）、ハンドル６を離すと再び挟持部材４，５の先端が開いた状態に戻る。なお、ハンドル６を握った状態から離した場合、本体部３の内部に設けられたバネ（図示省略）の力により、ハンドル６が図１（ａ）の位置へ復帰するようになっている。このように、適宜ハンドル６を握りまたは離すことにより、挟持部材４，５の先端を開閉させて履物を挟持し、手許に寄せる、向きを揃えるなどの作業を行うことができる。
【００１５】
次に、靴ベラ２、および、ハンドル６の回動に連動して、挟持部材４，５の先端を開閉させるための構造について、図２および図３を参照して説明する。ここで、図２および図３は、ともに本体部３の内部構造を示す図であり、本体部３の一方端側および他方端側の近傍を図示している。また、図２は靴ベラ２を回動させたときに挟持部材４，５の先端が閉じる状態を示した図であり、図３はハンドル６を回動させたときに挟持部材４，５の先端が閉じる状態を示した図である。なお、これらの図において、図１に示した各部と同じ部位については、同一の符号を付し、その説明を省略する。
【００１６】
図２および図３に示すように、挟持部材４，５の基底部４ｃ，５ｃにはそれぞれ複数の歯Ｇ１が形成されており、基底部４ｃに形成された歯Ｇ１は、作動桿７の他方端側（図２および図３中、右側端部）に形成された複数の歯Ｇ２と噛み合い、基底部５ｃに形成された歯Ｇ１は、作動桿８の他方端側に形成された複数の歯Ｇ２と噛み合う位置に形成されている。ここで、基底部４ｃ，５ｃにそれぞれ形成された複数の歯Ｇ１は、同じピッチおよびピッチ円の径を有しているため、同一の符号を付している。また、作動桿７，８の各他方端側に形成された複数の歯Ｇ２についても、ともに同一のピッチで形成されていることから、同一の符号を付している。
【００１７】
また、靴ベラ２を回動自在に支持している回転軸２ｃにも複数の歯Ｇ３が形成されており、作動桿８の一方端側（図２および図３中、左側端部）に形成されている複数の歯Ｇ４と噛み合うようになっている。さらに、ハンドル６の基底部６ｂにも複数の歯Ｇ５が形成されており、作動桿７の一方端側に形成されている複数の歯Ｇ６と噛み合うようになっている。
【００１８】
上述した内部構造を有する挟持具付き靴ベラ１において、靴ベラ２を、図２（ａ）に示す未使用状態から、略１８０゜時計回りに回動させた図２（ｂ）に示す使用状態へ変位させると、これと連動して回転軸２ｃも略１８０゜回動する。そして、回転軸２ｃに形成された歯Ｇ３と、作動桿８に形成された歯Ｇ４とが噛み合っていることから、作動桿８は、回転軸２ｃの回動に伴って、図２中、左方向へ長さｄだけ移動する。この作動桿８の移動に伴って、その他方端側に形成された歯Ｇ２も同図中、左側へ移動するため、これらと噛み合っていた基底部５ｃに形成されている歯Ｇ１により、挟持部材５は、回転軸５ａを中心にして反時計回りに回動する。そして、作動桿８が図中左側へ長さｄだけ移動すると、挟持部材５は、挟持部材４と当接する位置まで（すなわち６０゜）回動する（図２（ｂ）参照）。このように、作動桿８および作動桿８の一方端側および他方端側にそれぞれ形成された歯Ｇ４，Ｇ２、回転軸２ｃおよび回転軸２ｃに形成された歯Ｇ４、並びに、挟持部材５の基底部５ｃに形成された歯Ｇ１は、靴ベラ２を、本体部３と一直線に展開した位置へ回動させたときに、挟持部材４，５を閉じた状態へ変位させる伝達手段に相当する。
【００１９】
なお、上記の動作を実現するために、回転軸２ｃに形成された複数の歯Ｇ３のピッチおよびピッチ円の径、並びに、作動桿８の一方端側に形成された複数の歯Ｇ４のピッチは、回転軸２ｃが略１８０゜回動したときに、作動桿８が図中左側へ長さｄだけ移動するように定められている。また、基底部５ｃに形成された複数の歯Ｇ１のピッチおよびピッチ円の径、並びに、作動桿８の他方端側に形成された複数の歯Ｇ２のピッチは、作動桿８が同図中、左側へ長さｄだけ移動したときに、挟持部材５が反時計回りに６０゜回動するように定められている。
【００２０】
一方、ハンドル６を、図３（ａ）に示す未使用状態から、図３（ｂ）に示すように、ハンドル６の先端が本体部３に接する位置まで時計回りに回動させた場合（ここでは、略２０゜回動させることができるものとする）、これと連動してハンドル６の基底部６ｂも略２０゜回動する。そして、基底部６ｂに形成された歯Ｇ５と、作動桿７の一方端側に形成された歯Ｇ６とが噛み合っていることから、作動桿７は、基底部６ｂの回動に伴って、図２中、左方向へ長さｄだけ移動する。この作動桿７の移動に伴って、その他方端側に形成された歯Ｇ２も同図中、左側へ移動するため、これらと噛み合っていた基底部４ｃに形成されている歯Ｇ１により、挟持部材４は、回転軸４ａを中心にして時計回りに回動する。そして、作動桿７が図中左側へ長さｄだけ移動すると、挟持部材４は、挟持部材５と当接する位置まで（すなわち６０゜）回動する（図３（ｂ）参照）。
【００２１】
なお、上記の動作を実現するために、基底部６ｂに形成された複数の歯Ｇ５のピッチおよびピッチ円の径、並びに、作動桿７の一方端側に形成された複数の歯Ｇ６のピッチは、基底部６ｂが略２０゜回動したときに、作動桿７が図中左側へ長さｄだけ移動するように定められている。また、基底部４ｃに形成された複数の歯Ｇ１のピッチおよびピッチ円の径、並びに、作動桿８の他方端側に形成された複数の歯Ｇ２のピッチは、作動桿７が同図中、左側へ長さｄだけ移動したときに、挟持部材４が時計回りに６０゜回動するように定められている。
【００２２】
以上説明した挟持具付き靴ベラによれば、未使用状態において、靴ベラ２が本体部３に沿って折りたたまれた状態になっているため、挟持具として使用する場合、靴ベラ部分が使用の邪魔となることがない。また、靴ベラとして使用する場合、挟持部材が閉じた状態となるため、靴を履いているときに挟持部材が予期せぬものを挟むなどして、靴ベラの使用に支障をきたすことがなくなる。
【００２３】
なお、不使用状態における挟持部材４，５の成す角度、並びに、挟持部材４，５の基底部４ｃ，５ｃ、作動桿７，８に各々設けられている歯のピッチおよびピッチ円の径は、上述した実施の形態に限定されず、適宜変更可能であることはいうまでもない。
【図面の簡単な説明】
【００２４】
【図１】本発明の実施の形態における挟持具付き靴ベラの外観を示す正面図である。
【図２】同挟持具付き靴ベラにおいて、靴ベラを回動させたときに挟持部材を開閉させるための構造を説明するための説明図である。
【図３】同挟持具付き靴ベラにおいて、ハンドルを回動させたときに挟持部材を開閉させるための構造を説明するための説明図である。
【符号の説明】
【００２５】
１  挟持具付き靴ベラ
２  靴ベラ
２ｃ  回転軸
３  本体部
４，５  挟持部材
６  ハンドル
７，８  作動桿
【図１】
2007143979.tif 000003
【図２】
2007143979.tif 000004
【図３】
2007143979.tif 000005